(57)【要約】【課題】  コンクリート壁面を緑化する方法として階段状にコンクリートブロックを設置する場合背面に砕石を投入する為、土圧や地震に対する安全は確保されるものの、晴天が続くと植物は枯れることが多い。【解決手段】  この階段状にコンクリートブロックを設置する場合背面に砕石を用いない構造とし植物の生育を支える植栽土と背面の土砂との関係で、この間に砕石層を挟むことなくコンクリートブロックの中の植栽土と背面の土砂とがコンクリートブロックの背面の開口部を通して直接繋がっていて水分の再分布現象により水分が供給され、また土圧や地震に対する安全を確保するため、コンクリートブロックにアンカーを取り付け背面の土中に定着し安全な構造とした。【選択図】    図１
2014185431.tif 000002
【特許請求の範囲】
【請求項１】
ブロックの平面的な形状がＨ型の片側のフランジが短い、Ｔ型に近い形状である異形Ｔ型ブロックを１段目の工事として多数設置し、この時フランジの長い方を前面にし、前面を揃えて設置し、２つの異形Ｔ型ブロックのフランジとウェブに囲まれた部分に適宜の高さに植栽土を投入し異形Ｔ型ブロックの背面に背面土砂を投入し、前面仕切型枠及び背面仕切型枠を設置し、この２つの仕切型枠及び両サイドの異形Ｔ型ブロックのウェブに囲まれた空間部に耐震連結コンクリートを異形Ｔ型ブロックの上端まで打設し、開口部が形成され耐震連結コンクリートの硬化後、前面仕切型枠及び背面仕切型枠を取り外し、異形Ｔ型ブロックの背面に、この上端まで背面土砂を埋め戻し転圧し、耐震連結コンクリートの前面と２個の異形Ｔ型ブロックのフランジとのウェブに囲まれた部分に植栽桝が形成されるから、この植栽桝に植栽土を入れ植物を植栽し、次に２段目の作業のため、異形Ｔ型ブロックの上に２段目の異形Ｔ型ブロックを階段状に、背面側に、ずらして設置し、２段目の異形Ｔ型ブロックの底面の前の方は１段目の異形Ｔ型ブロックの端部に載せ、後の方は良質で良く転圧された背面土砂の上に載せ、１段目と同様に２つの異形Ｔ型ブロックのフランジとウェブに囲まれた部分に植栽土を投入し異形Ｔ型ブロックの背面に背面土砂を投入し、以降の作業は１段目と同じであり、３段目以降も２段目と同じであり、所定の段数設置し、植物を生育するための植栽桝の中の植栽土、この下及び耐震連結コンクリートの下の植栽土、異形Ｔ型ブロックの背面の２層の背面土砂、の４つが異形Ｔ型ブロック１の背面の開口部Ｋを通して一体に繋がっていて、雨水及び背面の湧水が背面土砂に浸透し土の中の水分の再分布現象により植栽土及び植物に供給され、植物の根は、この水分を求めて生育する、階段植栽ブロック工法
【請求項２】
ブロックの平面的な形状がＨ型の片側のフランジが短い、Ｔ型に近い形状である異形Ｔ型ブロックを１段目の工事として多数設置し、この時フランジの長い方を前面にし、前面を揃えて設置し、２つの異形Ｔ型ブロックのフランジとウェブに囲まれた部分に適宜の高さに植栽土を投入し異形Ｔ型ブロックの背面に背面土砂を投入し、前面仕切型枠及び背面仕切型枠を設置し、背面仕切型枠に穴をあけ、アンカーを挿入した後この２つの仕切型枠及び両サイドの異形Ｔ型ブロックのウェブに囲まれた空間部に耐震連結コンクリートを異形Ｔ型ブロックの上端まで打設し、開口部が形成され耐震連結コンクリートの硬化後、前面仕切型枠及び背面仕切型枠を取り外し、異形Ｔ型ブロックの背面に、この上端まで背面土砂を埋め戻し転圧し、アンカーの背面側の端部にアンカープレートとナットを取り付けて背面土砂に埋め込み転圧定着し、耐震連結コンクリートの前面と２個の異形Ｔ型ブロックのフランジとのウェブに囲まれた部分に植栽桝が形成されるから、この植栽桝に植栽土を入れ植物を植栽し、次に２段目の作業のため、異形Ｔ型ブロックの上に２段目の異形Ｔ型ブロックを階段状に、背面側に、ずらして設置し、２段目の異形Ｔ型ブロックの底面の前の方は１段目の異形Ｔ型ブロックの端部に載せ、後の方は良質で良く転圧された背面土砂の上に載せ、１段目と同様に２つの異形Ｔ型ブロックのフランジとウェブに囲まれた部分に植栽土を投入し異形Ｔ型ブロックの背面に背面土砂を投入し、以降の作業は１段目と同じであり、３段目以降も２段目と同じであり、所定の段数設置し、植物を生育するための植栽桝の中の植栽土、この下及び耐震連結コンクリートの下の植栽土、異形Ｔ型ブロックの背面の２層の背面土砂、の４つが異形Ｔ型ブロック１の背面の開口部Ｋを通して一体に繋がっていて、雨水及び背面の湧水が背面土砂に浸透し土の中の水分の再分布現象により植栽土及び植物に供給され、植物の根は、この水分を求めて生育する、階段植栽ブロック工法
【発明の詳細な説明】
【技術分野】
【０００１】
この発明は土木建築のコンクリート壁面を緑化する方法に関する。
【背景技術】
【０００２】
コンクリート壁面を緑化する方法としてはツタ等のツル性植物を登攀させる方法、コケ等の植物を生育する方法、階段状にコンクリートブロックを設置し、この平らな部分にサツキ等の灌木類を生育する方法などがある。階段状にコンクリートブロックを設置するものとしては特許文献１のものがある。また箱型擁壁がある。
【先行技術文献】
【特許文献】
【０００３】
【特許文献１】特開２００６−１７７０３８号公報
【非特許文献】
【０００４】
【非特許文献１】宮崎 毅  他２名著  土壌物理学  株式会社  朝倉書店                            ２００５年５月  ｐ．４９
【発明の概要】
【発明が解決しようとする課題】
【０００５】
前記の特許文献１のもの及び箱型擁壁は、いずれも背面に大量の砕石を投入する為、土圧や地震に対する安全は確保されるものの、背面からの給水は絶たれる。降雨によるもの及び空気中の水分による補給だけでは不十分で、晴天が続くと植物は枯れることが多い。水分こそ、生物の生命線であることは、具体例を挙げるまでもなく、広く知られるところである。
【課題を解決するための手段】
【０００６】
前記の課題を解決するために本願では背面に砕石を用いない構造とした。しかも土圧や地震に対する安全は確保するものとした。植物の生育を支える植栽土と背面の土砂との関係で、この間に砕石層を挟むことなく、コンクリートブロックの背面の開口部を通して直接繋がり、土の中の水分の再分布現象(非特許文献１参照)により水分が供給され、植物の根もこの、繋がった土壌を通して生育していく。また土圧や地震に対する安全を確保するため、高盛土の場合は、コンクリートブロックにアンカーを取り付け背面の土中に定着した。アンカーと直角方向の地震動にも対処した。その方法は耐震連結コンクリートによる。具体的には実施例に示す。またコンクリートブロックが砕石層の上ではなく、背面土砂の上に設置される為沈下の危険がある。そのため１段目のコンクリートブロックを設置する前に土砂を掘削した後、よく転圧し栗石を入れ更に転圧する。２段目以降は、このブロックの底面を、この前の方は、その下の段のブロックの後方の端部に載せ、後の方は良く転圧した背面土砂の上に置く。背面土砂は良質のものを使用し転圧は２０〜３０ｃｍ毎に行う。
【発明の効果】
【０００７】
コンクリート壁面を緑化する方法として階段状にコンクリートブロックを設置する場合背面に砕石を用いない構造とし植物の生育を支える植栽土と背面の土砂との関係で、この間に砕石層を挟むことなくコンクリートブロックの中の植栽土と背面の土砂とがコンクリートブロックの背面の開口部を通して直接繋がっていて水分の再分布現象により水分が供給され、また土圧や地震に対する安全を確保するため、コンクリートブロックにアンカーを取り付け背面の土中に定着し安全な構造とした。
【図面の簡単な説明】
【０００８】
【図１】本発明の異形Ｔ型ブロックを２段設置する場合の説明図であり、(ａ)は平面図(ｂ)はＡ−Ａ切断図であり、(ｃ)は平面図の別案である。
【図２】本発明の異形Ｔ型ブロックの説明図であり、(ａ)は平面的(ｂ)は背面図(ｃ)は正面図(ｄ)は側面図である。
【図３】本発明の異形Ｔ型ブロックの別の案の説明図であり、(ａ)は平面的(ｂ)は背面図(ｃ)は正面図(ｄ)は側面図である。
【図４】本発明のＴ型ブロックの説明図であり、(ａ)は平面的(ｂ)は背面図(ｃ)は正面図(ｄ)は側面図であり、斜線部Ｔはチッピング部分である。
【図５】本発明の異形Ｔ型ブロックを1段目に設置した説明図であり、(ａ)は平面的(ｂ)はＡ−Ａ切断図である。
【図６】本発明の異形Ｔ型ブロックの１段目を設置し耐震連結コンクリートを打設する時の説明図であり、(ａ)は平面的(ｂ)はＡ−Ａ切断図（ｃ）はＢ−Ｂ切断図（ｄ）はＣ−Ｃ切断図である。
【図７】本発明の植栽桝、植栽土、植物の説明図であり、(ａ)は平面的(ｂ)はＡ−Ａ切断図（ｃ）はＢ−Ｂ切断図である。
【図８】本発明の土の中の水分の再分布現象を示す説明図であり、Ｕは雨水、Ｙは湧水、Ｓ１及びＳ２は植栽土、Ｇ１及びＧ２は背面土砂である。
【図９】本発明の異形Ｔ型ブロックの耐震連結コンクリートにアンカーを取り付けて背面に定着した場合の説明図であり（ａ）は平面図（ｂ）はＡ−Ａ切断図であり、（ｃ）はアンカープレートの正面図である。
【図１０】本発明のブロックを箱型にした場合の説明図であり(ａ)は平面図(ｂ)はＡ−Ａ切断図（ｃ）はＢ−Ｂ切断図（ｄ）はＣ−Ｃ切断図である。
【発明を実施するための形態】
【実施例１】
【０００９】
１段目のコンクリートブロックを設置する位置を決め、土砂を掘削し、よく転圧し栗石を入れ更に転圧する。このブロックの平面的な形状はＨ型の片側のフランジが短い、Ｔ型に近い形状であり、以後これを異形Ｔ型ブロックと称し符号は１とする。図面的には図２に示す。１段目のコンクリートブロックを多数設置する。この時フランジの長い方を前面にし、前面を揃える。この様子を図５に示す。またフランジ及びウェブの厚さに変化をつけテーパー状にすることもある。
【００１０】
次に２つの異形Ｔ型ブロック１のフランジとウェブに囲まれた部分に植栽土Ｓ１を投入し異形Ｔ型ブロック１の背面に背面土砂Ｇ１を投入する。Ｓ１及びＧ１の土の厚さはブロックの高さによるがブロックの高さが２５ｃｍの時１０ｃｍ程度とし、１００ｃｍの時は４０ｃｍ〜６０ｃｍとする。
【００１１】
次に前面仕切型枠２及び背面仕切型枠３を設置する。この様子を図６に示す。前記２つの仕切型枠及び両サイドの異形Ｔ型ブロック１のフランジとウェブに囲まれた空間部に耐震連結コンクリート４を異形Ｔ型ブロック１の上端まで打設する。この耐震連結コンクリート４の打設により開口部Ｋが形成される。これを図６の(ｄ)のＣ−Ｃ切断図にＫとして示す。このコンクリートの高さは異形Ｔ型ブロック１の高さが２５ｃｍの時は１５程度とし、１００ｃｍの時は６０ｃｍ〜４０ｃｍである。なお、このコンクリートを打設する前に底面に上質紙を敷く。
【００１２】
次に耐震連結コンクリート４の硬化後、前面仕切型枠２及び背面仕切型枠３を取り外し、異形Ｔ型ブロック１の背面に、この上端まで背面土砂Ｇ２を埋め戻し転圧する。
【００１３】
耐震連結コンクリート４の前面と２個の異形Ｔ型ブロック１のフランジとウェブに囲まれた部分に植栽桝５が形成されるから、この植栽桝５に植栽土Ｓ２を入れ植物６を植栽する。この様子を図７に示す。
【００１４】
次に２段目の作業をする。異形Ｔ型ブロック１の上に２段目の異形Ｔ型ブロック１を階段状に、背面側にずらして設置する。この様子を図１に示す。この平面図の（ａ）に示すように千鳥にする場合と（ｃ）に示すようにウェブを揃える場合がある。２段目の異形Ｔ型ブロック１の底面の前の方は１段目の異形Ｔ型ブロック１の後方の端部に載せ、後の方は良く転圧した背面土砂の上に置く。背面土砂は良質のものを使用し転圧は２０〜３０ｃｍ毎に行う。次に１段目と同様に２つの異形Ｔ型ブロック１のフランジとウェブに囲まれた部分に植栽土Ｓ１を投入し異形Ｔ型ブロック１の背面に背面土砂Ｇ１を投入する。以降の作業は１段目と同じである。３段目以降も２段目と同じである。所定の段数設置して工事を終了する。
【００１５】
課題を解決するための手段に記載した、土の中の水分の再分布現象により水分が供給されること及び植物の根が繋がった土壌を通して生育していく、ことについて確認する。図８において植物６を生育するための植栽桝５の中の植栽土Ｓ２、この下及び耐震連結コンクリート４の下の植栽土Ｓ１、異形Ｔ型ブロック１の背面の背面土砂Ｇ１及び背面土砂Ｇ２、の４つが２つの異形Ｔ型ブロック１の背面の開口部Ｋを通して一体に繋がっている。雨水Ｕ及び背面の湧水Ｙが背面土砂Ｇ２及び背面土砂Ｇ１に浸透し土の中の水分の再分布現象により植栽土Ｓ１及び植栽土Ｓ２に供給され、植物６の根は、この水分を求めて生育する。
【実施例２】
【００１６】
背面の背面土砂が高盛土で土圧が大きい場合を実施例２とする。実施例１の段落１１の１行目の背面仕切型枠３を設置した後、耐震連結コンクリート４を打設する前に背面仕切型枠３に穴をあけ、フックの付いた鉄筋又はアンカーボルトとナットよりなるアンカー７を挿入しナットを取り付けた後、耐震連結コンクリート４を打設し、このコンクリートの硬化後、前面仕切型枠２及び背面仕切型枠３を取り外し、異形Ｔ型ブロック１の背面に、この上端まで背面土砂Ｇ２を埋め戻し転圧するが、この時、アンカー７の背面側の端部にアンカープレート８とナットを取り付けて背面土砂Ｇ２に埋め込み転圧し定着する。この様子は図９に示す。その他は実施例１と同じである。なおこれを請求項２とする。
【実施例３】
【００１７】
異形Ｔ型ブロック１の形状について短い方のフランジを耐震連結コンクリート４のある部分のみとし、他は無しとする場合もある。この様子は図３に示す。これは実施例１及び実施例２に適用する。
【実施例４】
【００１８】
異形Ｔ型ブロック１の形状について短い方のフランジを無しにして、Ｔ形にする場合もある。この場合は耐震連結コンクリート４と接する部分をチッピングして合成をよくする。チッピング部分の符号をＴとし、これを図４の側面図の斜線部Ｔに示す。これは実施例１及び実施例２に適用する。
【実施例５】
【００１９】
異形Ｔ型ブロック1を２個毎に、一体にして、箱形にしたものを図１０に示す。箱形にした部分は、開口部Ｋは工場で製作するから現場で打設する耐震連結コンクリート４の数は半減するから作業の効率がよくなる。平面的に曲線への対応は制限される。
【符号の説明】
【００２０】
１  異形Ｔ型ブロック
２  前面仕切型枠
３  背面仕切型枠
４  耐震連結コンクリート
５  植栽桝
６  植物
７  アンカー
８  アンカープレート
Ｓ１  植栽土
Ｓ２  植栽土
Ｇ１  背面土砂
Ｇ２  背面土砂
Ｋ  開口部
Ｔ  チッピング部分
Ｕ  雨水
Ｙ  湧水
【図１】
2014185431.tif 000003
【図２】
2014185431.tif 000004
【図３】
2014185431.tif 000005
【図４】
2014185431.tif 000006
【図５】
2014185431.tif 000007
【図６】
2014185431.tif 000008
【図７】
2014185431.tif 000009
【図８】
2014185431.tif 000010
【図９】
2014185431.tif 000011
【図１０】
2014185431.tif 000012